(57)【特許請求の範囲】
【請求項１】
壁面に取り付けられた機器のケーシングと、このケーシングの一部に形成された配管接続口から導出された配管を覆う配管カバーとの間に形成される隙間を覆うための配管用段差カバーであって、
硬質の部材にて形成され、両端部が開口形成されたカバー本体部と、
該カバー本体部の一端部側に取り付けられ、前記カバー本体部よりも軟質の部材にて弾性変形可能に形成され、かつ前記カバー本体部の肉厚よりも肉厚が厚く形成され、前記配管の長手方向に沿う方向に延長して設けられた段差吸収部とを備え、
前記カバー本体部の一端部側が前記ケーシング側に、他端部側が前記配管カバーの端部側に向いた状態で前記ケーシングと前記配管カバーとの間に配設された際に、前記段差吸収部が弾性変形して前記配管の前記長手方向に沿う方向に圧縮されて前記ケーシングの表面形状に沿って変化して密着するように構成されたことを特徴とする配管用段差カバー。
【請求項２】
前記カバー本体部は、前記壁面と前記配管の背面側との間に配設される底面部を備えた取付ベースと、該取付ベースに取り付けられて前記配管の表面側を覆うカバー片とを備え、
前記段差吸収部は前記カバー片に接続されていることを特徴とする請求項１に記載の配管用段差カバー。
【請求項３】
前記取付ベースには、前記底面部の両端から起立する一対の嵌合片部が設けられ、
それぞれの前記嵌合片部には、前記カバー片を取り付ける際に該カバー片をガイドするためのガイド部が設けられ、
前記嵌合片部の基端側には、第一の被係合部が設けられると共に、前記カバー片の先端側には前記第一の被係合部に係合される第一の係合部が設けられ、
前記ガイド部は、前記配管の長手方向に直交する方向に切断された縦断面が、前記第一の被係合部側に向かうに従って厚くなるように傾斜した第一の傾斜部と、前記配管の長手方向に沿う方向に切断された横断面が、前記第一の被係合部側に向かうに従って厚くなるように傾斜した第二の傾斜部とを有することを特徴とする請求項２に記載の配管用段差カバー。
【請求項４】
前記嵌合片部の先端側には第二の被係合部が更に設けられると共に、前記カバー片の基端側には前記第二の被係合部に係合される第二の係合部が更に設けられたことを特徴とする請求項３に記載の配管用段差カバー。
【請求項５】
前記カバー本体部は、前記配管の表面側を覆うように構成され、前記段差吸収部は前記カバー本体部に設けられて前記配管の表面側を覆うように構成されたことを特徴とする請求項１に記載の配管用段差カバー。
【請求項６】
前記段差吸収部は、前記配管の長手方向に沿う長さが、前記配管の径方向に沿う厚さよりも大きく形成されていることを特徴とする請求項１乃至５の何れか一つに記載の配管用段差カバー。
【発明の詳細な説明】
【技術分野】
【０００１】
この発明は、例えば、空気調和機（エアコン）の室内機など、壁面に取り付けられた機器と、この機器から導出された配管を覆う配管カバーとの間の、隙間を発生しうる段差を埋めるのに好適なカバーに関する。
【背景技術】
【０００２】
家屋やビル等の建築物の壁面には、空気調和機等の各種機器が設置される。この各種機器には、配管接続口が開口形成され、この配管接続口に、冷媒管やドレンホース等、各種の配管が接続される場合が多い。そして、この配管の周囲には、建築物の外観を良好に保つための配管カバーが配設されることが多い。ここで、空気調和機等のケーシングの表面は平面状であるとは限らず、凹凸や曲面による、さまざまな段差やアール形状等（以下「段差等」と称する。本明細書において同じ。）が形成されていることが多い。そのため、配管の周囲に配管カバーを配設したとき、配管カバーとケーシングとの間に、段差等に起因する隙間が形成されて、この隙間から配管等が外部に露出して美観が損なわれることがある。
【０００３】
従来、表面に段差等のあるケーシングに隙間なく接続するための配管用段差カバーが提案されている。例えば、壁面に固定される取付ベースと、この取付ベースに着脱自在に取り付けられるカバー片とから構成され、カバー片には、カバー本体に連設されたケーシング係合片を有し、カバー片は、取付ベースに着脱自在に取り付けられるカバー本体と、このカバー本体に連設されたケーシング係合片とを有し、ケーシング係合片は、配管がケーシングの左下部から左横へ導出される場合または右下部から下方へ導出される場合であって接続口が曲面形状になっている場合における当該接続口の曲面形状に適合する第１係合部と、配管がケーシングの右下部から右横へ導出される場合または左下部から下方へ導出される場合であって接続口が曲面形状になっている場合における当該接続口の曲面形状に適合する第２係合部とを有し、カバー本体と第１係合部および第２係合部との境界にはそれぞれ、カバー本体から第１係合部および／または第２係合部を切り落とすための切断部が設けられている配管用段差カバーが提案されている（例えば、特許文献１参照）。
【先行技術文献】
【特許文献】
【０００４】
【特許文献１】特開２０１３−１９００８６号公報
【発明の概要】
【発明が解決しようとする課題】
【０００５】
ここで、ケーシングの形状、及び、ケーシングの表面の段差等の形状や大きさは、メーカや製造時期や機器の種類によって異なり、多様である。しかし、上記特許文献１に記載の発明は、ケーシングの段差等が特定形状の場合にのみ、カバー片がケーシングの表面に密着して隙間を塞ぐことができるが、段差等の形状が特定形状の場合以外には、カバー片が段差や凹凸に密着しない。このため、配管が外部に露出して美観が損なわれてしまうという問題がある。
【０００６】
本発明はこのような問題に鑑みてなされたものであり、表面形状の相違に関わらずケーシングに密着し、ケーシングと配管カバーとの隙間を確実に塞いで美観を確保できる配管用段差カバーを提供することを課題としている。
【課題を解決するための手段】
【０００７】
かかる課題を達成するために、請求項１に記載の発明は、壁面に取り付けられた機器のケーシングと、このケーシングの一部に形成された配管接続口から導出された配管を覆う配管カバーとの間に形成される隙間を覆うための配管用段差カバーであって、硬質の部材にて形成され、両端部が開口形成されたカバー本体部と、該カバー本体部の一端部側に取り付けられ、前記カバー本体部よりも軟質の部材にて弾性変形可能に形成され、かつ前記カバー本体部の肉厚よりも肉厚が厚く形成され、前記配管の長手方向に沿う方向に延長して設けられた段差吸収部とを備え、前記カバー本体部の一端部側が前記ケーシング側に、他端部側が前記配管カバーの端部側に向いた状態で前記ケーシングと前記配管カバーとの間に配設された際に、前記段差吸収部が弾性変形して前記配管の前記長手方向に沿う方向に圧縮されて前記ケーシングの表面形状に沿って変化して密着するように構成されたことを特徴とする。
【０００８】
請求項２に記載の発明は、請求項１に記載の構成に加え、前記カバー本体部は、前記壁面と前記配管の背面側との間に配設される底面部を備えた取付ベースと、該取付ベースに取り付けられて前記配管の表面側を覆うカバー片とを備え、前記段差吸収部は前記カバー片に接続されていることを特徴とする。
【０００９】
請求項３に記載の発明は、請求項２に記載の構成に加え、前記取付ベースには、前記底面部の両端から起立する一対の嵌合片部が設けられ、それぞれの前記嵌合片部には、前記カバー片を取り付ける際に該カバー片をガイドするためのガイド部が設けられ、前記嵌合片部の基端側には、第一の被係合部が設けられると共に、前記カバー片の先端側には前記第一の被係合部に係合される第一の係合部が設けられ、前記ガイド部は、前記配管の長手方向に直交する方向に切断された縦断面が、前記第一の被係合部側に向かうに従って厚くなるように傾斜した第一の傾斜部と、前記配管の長手方向に沿う方向に切断された横断面が、前記第一の被係合部側に向かうに従って厚くなるように傾斜した第二の傾斜部とを有することを特徴とする。
【００１０】
請求項４に記載の発明は、請求項３に記載の構成に加え、前記嵌合片部の先端側には第二の被係合部が更に設けられると共に、前記カバー片の基端側には前記第二の被係合部に係合される第二の係合部が更に設けられたことを特徴とする。
【００１１】
請求項５に記載の発明は、請求項１に記載の構成に加え、前記カバー片は、前記配管の表面側を覆うように構成され、前記段差吸収部は前記カバー本体部に設けられて前記配管の表面側を覆うように構成されたことを特徴とする。
【００１２】
請求項６に記載の発明は、請求項１乃至５の何れか一つに記載の構成に加え、前記段差吸収部は、前記配管の長手方向に沿う長さが、前記配管の径方向に沿う厚さよりも大きく形成されていることを特徴とする。
【発明の効果】
【００１３】
請求項１に記載の発明によれば、配管用段差カバーは、硬質の部材で形成されたカバー本体部と、カバー本体部の一端部側に取り付けられ、カバー本体部よりも軟質の部材にて弾性変形可能に形成され、かつカバー本体部の肉厚よりも肉厚が厚く形成された段差吸収部とを備えたことにより、カバー本体部の部分の形状を保持しつつ、段差吸収部を弾性変形させて形状を変化させることができる。そして、カバー本体部の一端部側がケーシング側に、他端部側が配管カバーの端部側に向いた状態でケーシングと配管カバーとの間に配設された際に、段差吸収部が弾性変形して配管の長手方向に沿う方向に圧縮されてケーシングの表面形状に沿って密着する。そのため、ケーシングの表面に段差等があっても、段差吸収部は段差等の形状や大きさに関わらず弾性変形してケーシングに密着する。これにより、個々の形状の相違に関わらず、ケーシングの表面形状に沿って変化し、密着してケーシングと配管カバーとの隙間を塞ぎ、美観を確保することができる。
【００１４】
請求項２に記載の発明によれば、カバー本体部は、底面部を備えた取付ベースと、配管の表面側を覆うカバー片とを備えたことにより、配管の周囲全体に渡ってケーシングと配管カバーとの隙間を塞ぐことができる。また、段差吸収部はカバー片に接続されていることにより、ケーシング表面の、配管が導出される部分に形成された段差等のうち、外部から見えやすい部分を段差吸収部で塞ぎ、確実に美観を確保することができる。
【００１５】
請求項３に記載の発明によれば、ガイド部は、配管の長手方向に直交する方向に切断された縦断面が、第一の被係合部側に向かうに従って厚くなるように傾斜した第一の傾斜部を有することにより、カバー片と取付ベースとの嵌合が容易で、かつ強固な係合状態とすることができる。また、この構成に加え、ガイド部は、配管の長手方向に沿う方向に切断された横断面が、第一の被係合部側に向かうに従って厚くなるように傾斜した第二の傾斜部を有することにより、カバー片と取付ベースとは、取付ベースが固定された状態において、カバー片を配管の軸方向に沿う方向に移動させながら嵌合される。そのため、段差吸収部を圧縮させ易くなり、かつ、段差吸収部はケーシングの段差等に沿った形に弾性変形させてケーシングに密着させることができる。これにより、配管用段差カバーの組み立てを容易に行わせると共に組み立てられた状態を確実に維持し、一層確実に美観を確保することができる。
【００１６】
請求項４に記載の発明によれば、第一の係合部と第一の被係合部との係合位置よりも、嵌合片部の先端側及びカバー片の基端側で、第二の係合部と第二の被係合部とを係合させることにより、カバー片と取付ベースとの係合状態を強固に維持することができる。
【００１７】
請求項５に記載の発明によれば、配管が導出される部分の表面に段差等のあるケーシングのうち、外部から見えやすい部分を段差吸収部とで塞ぎ、確実に美観を確保することができる。
【００１８】
請求項６に記載の発明によれば、段差吸収部は、配管の長手方向に沿う長さが、配管の径方向に沿う厚さよりも大きく形成されていることにより、ケーシングの表面の段差等が大きくても段差吸収部をケーシングに隙間無く密着させることができ、また、ケーシングの段差等において段差吸収部を容易に弾性変形させることができる。また、段差吸収部をケーシングに沿う方向に圧縮した際に段差吸収部が座屈することなく、段差吸収部をケーシングの段差等に沿って確実に弾性変形させることが可能になる。
【図面の簡単な説明】
【００１９】
【図１】この発明の実施の形態１に係る配管用段差カバーを示す図で、（ａ）は正面図、（ｂ）は平面図、（ｃ）は底面図、（ｄ）は右側面図、（ｅ）は断面図である。
【図２】同上配管用段差カバーを示す図で、（ａ）は正面側斜視図、（ｂ）は背面側斜視図である。
【図３】同上配管用段差カバーの、カバー片と取付ベースとを分離させた状態の正面側斜視図である。
【図４】同上配管用段差カバーの、カバー片と取付ベースとを分離させた状態の背面側斜視図である。
【図５】同上配管用段差カバーの、カバー片と取付ベースとを分離させ、さらにカバー片を構成する各部材を分離させた状態の正面側斜視図である。
【図６】同上配管用段差カバーの取付ベースを示す図で、（ａ）は右側面図、（ｂ）は正面図、（ｃ）は平面図、（ｄ）は底面図、（ｅ）はＡ−Ａ’断面図、（ｆ）はＢ−Ｂ’断面図、である。
【図７】同上配管用段差カバーの取付ベースを示す図で、（ａ）は左側面側斜視図、（ｂ）は右側面側斜視図、である。
【図８】同上配管用段差カバーを、壁面に設置された機器のケーシングと配管カバーとの隙間に配設した状態の斜視図である。
【図９】同上配管用段差カバーを、壁面に設置された機器のケーシングと配管カバーとの隙間に配設した状態の、（ａ）底面図、（ｂ）底面図の部分拡大図、（ｃ）底面図の部分拡大断面図である。
【図１０】同上配管用段差カバーを、壁面に設置された機器のケーシングと配管カバーとの隙間に配設した状態の、（ａ）底面図、（ｂ）底面図の部分拡大図、（ｃ）底面図の部分拡大断面図である。
【図１１】同上配管用段差カバーを、壁面に設置された機器のケーシングと配管カバーとの間に設置する途中工程を示す斜視図である。
【図１２】この発明の実施の形態２に係る配管用段差カバーを示す図で、（ａ）は正面図、（ｂ）は右側面図、（ｃ）は底面図である。
【図１３】同上配管用段差カバーを示す図で、（ａ）は正面側斜視図、（ｂ）は背面側斜視図である。
【発明を実施するための形態】
【００２０】
［発明の実施の形態１］
図１乃至図１１は、この発明の実施の形態１を示す。
【００２１】
まず構成を説明すると、図１及び図２に示す、この実施の形態１の配管用段差カバー１０Ａは、図８に示すように、空気調和機（エアコン）の室内機など、建築物等の壁面に取り付けられた機器と、この機器から導出された配管を覆う配管カバーとの間の隙間を覆うために用いられる。なお、この実施の形態１においては、一例として、本発明に係る「壁面」が建築物の壁面であり、「機器」を空気調和機の室内機である場合について説明するが、「壁面」は建築物以外のいかなる壁面や壁状のものであってもよく、「機器」は空気調和機の室内機以外のいかなる機器であってもよい。
【００２２】
図８に示す、「機器」としての空気調和機の室内機１００は、家屋等の壁面１０１に設置されている。この室内機１００の外部を覆う、硬質の樹脂等にて形成された箱状のケーシング１０２には、図９及び図１０に示す、配管接続口１０３が開口形成されている。図１１に示す通り、この配管接続口１０３からは、室内機１００の内部に接続された冷媒管やドレンホース等の配管１０４が導出され、配管１０４は壁面１０１に沿って配設される。
【００２３】
図８乃至図１１に示す通り、この配管１０４は、周囲を配管カバー１０５で覆われる。この配管カバー１０５は、配管１０４の露出を防ぎ壁面１０１の美観を高めるためのものである。配管カバー１０５は、硬質の樹脂等で形成されている。配管カバー１０５は、断面略コの字状の表面側部材１０５ａと断面略コの字状の背面側部材１０５ｂとからなり、表面側部材１０５ａと背面側部材１０５ｂとを組み合わせて筒状に形成される。配管カバー１０５の内部には、配管１０４が収容される。
【００２４】
そして、図８に示す通り、ケーシング１０２の配管接続口１０３と配管カバー１０５との間には、本発明に係る配管用段差カバー１０Ａが配設される。図１乃至図２に示す通り、配管用段差カバー１０Ａは、平面視略四角形の筒状に形成されている。
【００２５】
図３に示す通り、配管用段差カバー１０Ａは、カバー本体部１２と、段差吸収部２３とを有する。
【００２６】
カバー本体部１２は、取付ベース１１と、カバー片２１とを備えている。取付ベース１１とカバー片２１とは着脱可能に設けられている。
【００２７】
図６及び図７に示す取付ベース１１は、硬質の樹脂例えばＡＢＳやポリプロピレン等によって形成され、図６の（ｂ）に示す通り、正面視略コの字状に形成されている。具体的には、取付ベース１１は、底面部１３と、底面部１３の両端から略垂直方向に起立して設けられた一対の嵌合片部１４，１４とを備えている。
【００２８】
図６の（ｃ）及び（ｄ）に示す通り、底面部１３は、壁面１０１に沿って配設可能となるように略板状に形成されている。底面部１３の中央部には前後方向（つまり、配管１０４の長手方向に沿う方向）に長い略楕円形の長孔に形成された取付孔部１５が開口形成されている。この取付孔部１５には、図９及び図１０に示す通り、取付ベース１１を壁面１０１に固定するためのビス１６が挿通される。
【００２９】
図６の（ａ）に示す通り、嵌合片部１４は、略板状に形成されている。嵌合片部１４の下端側（底面部１３との接合部分側）の正面側（ケーシング１０２側に配設される側）には、略矩形の孔状に開口形成された第一の被係合部１７が設けられ、嵌合片部１４の先端側には、略コの字形の溝状に形成された、第二の被係合部１８が設けられている。
【００３０】
それぞれの嵌合片部１４には、ガイド部が設けられている。このガイド部は、嵌合片部１４にカバー片２１を取り付ける際にカバー片２１の嵌合をガイドする機能を奏する。
【００３１】
具体的には、図６の（ａ）に示すように、それぞれの嵌合片部１４には、「ガイド部」としての第一の傾斜部１９が設けられている。この第一の傾斜部１９は、図６の（ｅ）の断面図に示す通り、配管１０４の長手方向に直交する方向に切断された縦断面が、第一の被係合部１７側に向かうに従って厚くなるように傾斜した傾斜面となっている。
【００３２】
また、図６の（ｃ），（ｄ）に示すように、嵌合片部１４には、「ガイド部」としての第二の傾斜部２０が設けられている。この第二の傾斜部２０は、図６の（ｆ）に示す通り、配管１０４の長手方向に沿う方向に切断された横断面が、第一の被係合部１７側に向かうに従って厚くなるように傾斜した傾斜面となっている。図６の（ａ）に示す通り、第一の傾斜部１９と第二の傾斜部２０の境界部２０ａは、取付ベース１１を右側面側から見ると、嵌合片部１４の右上方向から左下方向に傾斜した略斜線状となっている。なお図６に図示しないが、取付ベース１１を左側面側から見ると、境界部２０ａは図６の（ａ）に示す境界部２０ａとは左右対称になっている。
【００３３】
図３に示すカバー片２１は、正面視（図５において左下側から見た状態）略コの字状に形成されている。  カバー片２１は、硬質の樹脂例えばＡＢＳやポリプロピレン等にて形成されている。カバー片２１は、正面側及び背面側の両端部と底面側とが開口形成された、正面視略コの字状に形成されている。カバー片２１の側面部２４の内側において、正面側の先端側（図５に示す状態の下方の端部側）には、突起状の第一の係合部２５が内方に突設されている。また、第一の係合部２５の配設位置の基端側には、突起状の第二の係合部２６が内方に突設されている。また、カバー片２１の正面側外周部には縁部２７が突設され、縁部２７の内方は面状の載置面部２８に形成されている。
【００３４】
カバー本体部１２のカバー片２１は、載置面部２８において、両面に粘着材が塗布された粘着テープ等の接着部材２２により、段差吸収部２３に接続されている。
【００３５】
段差吸収部２３は、例えば軟質のポリウレタン等、弾性変形可能な軟質の部材にて形成されている。段差吸収部２３は、正面視において、載置面部２８に略等しい形状に形成されている。図１の（ｃ）に示す通り、段差吸収部２３は、配管１０４の長手方向に沿う長さＬ１が、配管１０４の径方向に沿う厚さＬ２よりも大きく形成されている。これにより、ケーシング１０２の表面の段差部分１０６（図９参照）やアール部分１０７（図１０参照）が大きくても段差吸収部２３をケーシング１０２に隙間無く密着させることができ、また、段差部分１０６やアール部分１０７において段差吸収部２３を容易に弾性変形させることができる。また、長さＬ１と厚さＬ２との関係は、段差吸収部２３をケーシング１０２に圧接させた際にまた、圧縮させた際に段差吸収部２３の座屈が抑止されるような比率であることが望ましい。
【００３６】
なお、段差吸収部２３の長さＬ１と厚さＬ２との関係は、段差吸収部２３をケーシング１０２に圧接する際にケーシング１０２に隙間無く密着させることができ、かつ段差部分１０６やアール部分１０７等の段差等にて容易に弾性変形させることができるものであれば、どのような比率であってもよい。また、長さＬ１や厚さＬ２が段差吸収部２３の位置によって異なるように形成されていてもよい。
【００３７】
次に、この実施の形態１の配管用段差カバー１０Ａの設置工程について説明する。
【００３８】
まず、図１１に示すように、配管接続口１０３と、背面側部材１０５ｂを配設する予定位置との間に、配管用段差カバー１０Ａを構成する取付ベース１１を設置する。この取付ベース１１は、図９の（ｃ）に示すように、ビス１６で壁面１０１に固定する。ここで、取付ベース１１に、段差吸収部２３が接続されたカバー片２１を仮止めして（第一の係合部２５と第一の被係合部１７と、及び、第二の係合部２６と第二の被係合部１８とを係合させて）、配管用段差カバー１０Ａの取付位置が適切かどうかを確認する。もし、ケーシング１０２に対する配管用段差カバー１０Ａの取付位置が遠すぎてケーシング１０２と段差吸収部２３との間に隙間が生じるような場合や、逆に、ケーシング１０２に対する配管用段差カバー１０Ａの距離が近すぎて段差吸収部２３に歪みが生ずるような場合には、取付ベース１１から取り外してビス１６を緩め、ビス１６に対する取付孔部１５の取り付け位置を変化させることで、取付ベース１１の取り付け位置を配管１０４の軸方向に沿って移動させ、配管用段差カバー１０Ａの取付位置を微調整する。
【００３９】
次に、仮止めしたカバー片２１を取付ベース１１から取り外し、壁面１０１の、取付ベース１１の延長上に、配管カバー１０５を構成する背面側部材１０５ｂを設置する。このとき、背面側部材１０５ｂの最もケーシング１０２寄りの一部は取付ベース１１に重なって配設される（図９の（ｃ）参照）。
【００４０】
次に、図１１に示すように、取付ベース１１と背面側部材１０５ｂの正面側に配管１０４を配設する。
【００４１】
次に、背面側部材１０５ｂの表面側に表面側部材１０５ａを取り付けて、配管カバー１０５の内部に配管１０４が配設された状態とする。
【００４２】
次に、この状態で、取付ベース１１の平面側に、段差吸収部２３が接続されたカバー片２１を取り付ける。取り付けられた状態において、表面側部材１０５ａの最もケーシング１０２寄りの一部は取付ベース１１に重なった状態となる（図９の（ｃ）参照）。
【００４３】
この、カバー片２１を取り付ける際は、例えば第一の傾斜部１９の上端部に第一の係合部２５を載置させ、第一の係合部２５の端部を境界部２０ａに沿わせた状態で、第一の係合部２５を斜め下方（図６の（ａ）に示す左下方向）に摺動させる。すると、カバー片２１は、取付ベース１１に対して基端側（図３及び図６の（ｅ）に示す矢印Ｍ１方向）に相対移動しながら前方（図３及び図６の（ｆ）に示す矢印Ｍ４方向）にも相対移動する。その結果、カバー本体部１２の段差吸収部２３は、ケーシング１０２に対して背面側及び近接方向に相対移動しながら圧接され、ケーシング１０２の形状に沿って形状が変化してゆく。このように、段差吸収部２３がケーシング１０２に対して背面側だけでなく近接方向にも相対移動しながら圧縮されることにより、段差吸収部２３とケーシング１０２の接触部分には、余計な皺や、皺による隙間が形成されることが防止される。そして、段差吸収部２３は、隙間無くケーシング１０２に密着してゆく。
【００４４】
そして、第一の係合部２５が取付ベース１１の基端まで摺動されると、第一の係合部２５は第一の被係合部１７に係合され、第二の係合部２６は第二の被係合部１８に係合される。
【００４５】
ここで、第一の係合部２５が第一の傾斜部１９を斜め下方に摺動される過程で、カバー片２１のそれぞれの先端部は、互いに離間する方向（図６の（ｅ）に示す矢印Ｍ２方向、及び図６の（ｆ）に示す矢印Ｍ５方向）に弾性変形し、第一の係合部２５が第一の被係合部１７に係合される際に、カバー片２１のそれぞれの先端部は、カバー片２１の弾性力によって互いに近接する方向（図６の（ｅ）に示す矢印Ｍ３方向、図６の（ｆ）に示す矢印Ｍ６方向）に弾性変形する。このように構成することで、取付ベース１１の基端同士の幅に対し、カバー片２１の基端側同士の幅が狭く、先端側（第一の係合部２５近傍）同士の幅が広くなるような状態を容易に形成できる。これにより、取付ベース１１にカバー片２１を容易に被せることができ、かつ、第一の係合部２５の第一の被係合部１７に対する係合状態を強固にすることができる。
【００４６】
また、第一の係合部２５と第一の被係合部１７とが係合するとき、その、カバー片２１の基端側及び嵌合片部１４の先端側で、第二の係合部２６と第二の被係合部１８とが係合する。第一の係合部２５と第一の被係合部１７との係合位置と、第二の係合部２６と第二の被係合部１８との係合位置との位置関係が、配管１０４の軸方向に対して略垂直方向となるように配設されているため、配管用段差カバー１０Ａの設置時や設置後において、圧接されたケーシング１０２の反力等により、配管用段差カバー１０Ａに対して配管１０４の軸方向に対してずれた方向の外力が加わったとしても、この外力によって取付ベース１１とカバー片２１との係合が解除される事態は抑止され、配管用段差カバー１０Ａを強固に設置することができる。
【００４７】
なお、取付ベース１１にカバー片２１を一旦取り付けた後、そのカバー片２１を取り外して、ビス１６を緩めたのちに、ビス１６に対する取付孔部１５の配設位置を移動させて、配管用段差カバー１０Ａの取付位置をケーシング１０２寄りに移動させる微調整を行うこともできる。
【００４８】
このように、壁面１０１に室内機１００の配管１０４と、配管カバー１０５と、配管用段差カバー１０Ａが設置された状態が形成される。ここで、この実施の形態１においては、ケーシング１０２に、図９に示す段差部分１０６や、図１０に示すアール部分１０７のような段差等が形成されている。しかし、この実施の形態１の配管用段差カバー１０Ａは、段差吸収部２３がケーシング１０２に押し当てられ、弾性変形してケーシング１０２に密着する。そのため、仮にケーシング１０２ごとに、配管接続口１０３周辺に形状の相違する段差等があっても、この段差等を段差吸収部２３の柔軟な形状変化によって吸収しつつ、配管用段差カバー１０Ａをケーシング１０２に隙間無く密着させることができる。
【００４９】
以上、この実施の形態１においては、配管用段差カバー１０Ａは、硬質の部材で形成されたカバー本体部１２と、弾性変形可能な軟質の部材にて形成された段差吸収部２３とを備えたことにより、カバー本体部１２の部分の形状を保持しつつ、段差吸収部２３を弾性変形させて形状を変化させることができる。そして、カバー本体部１２の一端部側がケーシング１０２側に、他端部側が配管カバー１０５の端部側に向いた状態でケーシング１０２と配管カバー１０５との間に配設された際に、段差吸収部２３が弾性変形して配管１０４の長手方向に沿う方向に圧縮されてケーシング１０２に密着する。そのため、ケーシング１０２に段差等があっても、段差吸収部２３は段差等の形状や大きさに関わらず弾性変形してケーシング１０２に密着する。これにより、個々の段差等の相違に関わらず、ケーシング１０２に密着してケーシング１０２と配管カバー１０５との隙間を塞ぎ、美観を確保することができる。
【００５０】
この実施の形態１においては、カバー本体部１２は、底面部１３を備えた取付ベース１１と、配管１０４の表面側を覆うカバー片２１とを備えたことにより、配管１０４の周囲全体に渡ってケーシング１０２と配管カバー１０５との隙間を塞ぐことができる。また、段差吸収部２３はカバー片２１に接続されていることにより、ケーシング１０２表面の、配管接続口１０３周辺に形成された段差等のうち、外部から見えやすい部分を段差吸収部２３で塞ぎ、確実に美観を確保することができる。
【００５１】
この実施の形態１においては、第一の傾斜部１９は、配管１０４の長手方向に直交する方向に切断された縦断面が、第一の被係合部１７側に向かうに従って厚くなるように傾斜していることにより、カバー片２１と嵌合片部１４との嵌合が容易で、かつ強固な係合状態とすることができる。また、この第一の傾斜部１９の構成に加え、第二の傾斜部２０は、配管１０４の長手方向に沿う方向に切断された横断面が、第一の被係合部１７側に向かうに従って厚くなるように傾斜していることにより、カバー片２１と取付ベース１１とは、取付ベース１１が固定された状態において、カバー片２１を配管１０４の軸方向に沿う方向に移動させながら嵌合される。そのため、段差吸収部２３を圧縮させ易くなり、かつ、段差吸収部２３をケーシング１０２の段差や凹凸に沿った形に弾性変形させてケーシング１０２に密着させることができる。これにより、配管用段差カバー１０Ａの組み立てを容易に行わせると共に組み立てられた状態を確実に維持し、一層確実に美観を確保することができる。
【００５２】
この実施の形態１においては、第一の係合部２５と第一の被係合部１７との係合位置よりも、嵌合片部１４の先端側及びカバー片２１の基端側で、第二の係合部２６と第二の被係合部１８とを係合させることにより、カバー片２１と取付ベース１１との係合状態を強固に維持することができる。
【００５３】
この実施の形態１においては、段差吸収部２３は、配管１０４の長手方向に沿う長さＬ１が、配管１０４の径方向に沿う厚さＬ２よりも大きく形成されていることにより、ケーシング１０２の表面の段差部分１０６やアール部分１０７などの段差等が大きくても段差吸収部２３をケーシング１０２に隙間無く密着させることができ、また、段差部分１０６やアール部分１０７において段差吸収部２３を容易に弾性変形させることができる。
【００５４】
なお、この実施の形態１においては、配管用段差カバー１０Ａは、段差吸収部２３がカバー片２１のみに設けられた構成としたが、取付ベース１１にも段差吸収部２３が設けられた構成としてもよい。また、段差吸収部２３は、一部に隙間が形成されていても、弾性変形して配管１０４の長手方向に沿う方向に圧縮されたときにこの隙間が閉じてケーシング１０２と配管カバー１０５との間が閉塞される構成となっていればよい。
【００５５】
［発明の実施の形態２］
図１２及び図１３にこの発明の実施の形態２を示す。
【００５６】
図１２及び図１３に示す通り、この実施の形態２の配管用段差カバー１０Ｂのカバー本体部３１は、実施の形態１における取付ベース１１（図１参照）に対応するものがなく、カバー片２１（図１参照）に対応するもののみで構成されている。
【００５７】
この配管用段差カバー１０Ｂは、正面視略コの字状のカバー本体部３１と、正面視略コの字状の接着部材３２と、正面視略コの字状の段差吸収部３３とを備え、カバー本体部３１の正面側に、接着部材３２を挟んで段差吸収部３３が配設されている。
【００５８】
カバー本体部３１は、実施の形態１のカバー本体部１２（図３，図４参照）における第一の係合部２５、第二の係合部２６が存在しないこと以外は、実施の形態１のカバー片２１と同様の構成である。接着部材３２は、実施の形態１の接着部材２２（図３，図４参照）と同様の構成である。段差吸収部３３は実施の形態１の段差吸収部２３（図３，図４参照）と同様の構成である。接着部材３２と段差吸収部３３は、カバー本体部３１の縁部３４の内側にある載置面部３５に略等しい形状に形成され、接着部材３２は載置面部３５と段差吸収部３３の端部とを接合させる。
【００５９】
この実施の形態２の配管用段差カバー１０Ｂは、例えば図１１に示すような設置を行う際は、壁面１０１に背面側部材１０５ｂを配設し、その表面側に配管１０４を配設し、その状態で背面側部材１０５ｂに表面側部材１０５ａを取り付けて配管カバー１０５（図８参照）を形成したのち、ケーシング１０２と配管カバー１０５（図８参照）との間に、図１１に示すカバー片２１と同様の状態で、配管１０４の表面側に配管用段差カバー１０Ｂをはめ込む。これにより、ケーシング１０２と配管カバー１０５（図８参照）の隙間に配管用段差カバー１０Ｂを設置した状態を完成させる。
【００６０】
以上、この実施の形態２においては、配管用段差カバー１０Ｂは、ケーシング１０２（図８参照）表面の、配管１０４（図８参照）が導出される部分に形成された段差等のうち、外部から見えやすい部分を段差吸収部３３で塞ぎ、確実に美観を確保することができる。
【００６１】
上記各実施の形態は本発明の例示であり、本発明が上記各実施の形態のみに限定されることを意味するものではないことは、いうまでもない。
【符号の説明】
【００６２】
１０Ａ，１０Ｂ・・・配管用段差カバー
１１・・・取付ベース
１２，３１・・・カバー本体部
１３・・・底面部
１４・・・嵌合片部
１７・・・第一の被係合部
１８・・・第二の被係合部
１９・・・第一の傾斜部（ガイド部）
２０・・・第二の傾斜部（ガイド部）
２１・・・カバー片
２３，３３・・・段差吸収部
２５・・・第一の係合部
２６・・・第二の係合部
１００・・・室内機（機器）
１０１・・・壁面
１０２・・・ケーシング
１０３・・・配管接続口
１０４・・・配管
１０５・・・配管カバー
Ｌ１・・・長さ
Ｌ２・・・厚さ
【図１】
0006401520.tif 000002
【図２】
0006401520.tif 000003
【図３】
0006401520.tif 000004
【図４】
0006401520.tif 000005
【図５】
0006401520.tif 000006
【図６】
0006401520.tif 000007
【図７】
0006401520.tif 000008
【図８】
0006401520.tif 000009
【図９】
0006401520.tif 000010
【図１０】
0006401520.tif 000011
【図１１】
0006401520.tif 000012
【図１２】
0006401520.tif 000013
【図１３】
0006401520.tif 000014